(57)【特許請求の範囲】
【請求項１】
内釜が収容される本体と、
前記内釜の開口部を開閉自在に覆う蓋と、
該蓋を開状態にするための開操作手段と、
前記本体に取り付けられ、前記開操作手段を覆うことが可能な可動式カバーと、
炊飯動作の状態を表示する炊飯工程表示部を備え、
前記可動式カバーによって、前記開操作手段が覆われた場合に、前記炊飯工程表示部が露出し、該炊飯工程表示部が覆われた場合に、前記開操作手段が露出する
ことを特徴とする炊飯器。
【請求項２】
前記炊飯工程表示部は、炊飯動作中であることを示す文字表示部によって構成された
ことを特徴とする請求項１記載の炊飯器。
【請求項３】
前記炊飯工程表示部は、炊飯動作中であることを示すランプによって構成された
ことを特徴とする請求項１記載の炊飯器。
【請求項４】
内釜が収容される本体と、
前記内釜の開口部を開閉自在に覆う蓋と、
該蓋を開状態にするための開操作手段と、
前記本体に取り付けられ、前記開操作手段を覆うことが可能な可動式カバーと、
炊飯動作について操作する操作部と、を備え、
前記可動式カバーによって、前記開操作手段が覆われた場合に、前記操作部が露出し、該操作部が覆われた場合、前記開操作手段が露出する
ことを特徴とする炊飯器。
【請求項５】
前記操作部は、炊飯動作の開始操作手段を有した
ことを特徴とする請求項４記載の炊飯器。
【請求項６】
前記可動式カバーの位置を検出するカバー位置検出手段と、
炊飯動作を制御する制御装置と、
を備え、
前記制御装置は、前記カバー位置検出手段によって前記可動式カバーが前記開操作手段を覆っていることが検出されている場合、炊飯動作を開始可能とする
ことを特徴とする請求項１〜請求項５のいずれか一項に記載の炊飯器。
【発明の詳細な説明】
【技術分野】
【０００１】
本発明は、炊飯器に関し、特に、炊飯動作中における蓋開き防止構造に関する。
【背景技術】
【０００２】
従来の炊飯器として、鍋の開放端を蓋で密閉し、蓋に設けた圧力調整機構によって鍋の内部を高圧状態に維持し、ソレノイドの働きによって移動する作動体の一部を蓋ロック機構の一部に係合させ、圧力炊飯時において、蓋が開かないようにロックする構造を有するものがある（例えば、特許文献１参照）。
【先行技術文献】
【特許文献】
【０００３】
【特許文献１】特許第４０１４５４５号公報（第２−４頁、図３）
【発明の概要】
【発明が解決しようとする課題】
【０００４】
しかしながら、特許文献１に記載された炊飯器におけるソレノイドを有するロック構造は、構造が複雑で、部品点数も多く、かつ、高価な部品を要し、製造コストが増大するという問題点があった。
【０００５】
本発明は、上記のような課題を解決するためになされたもので、製造コストを抑え、かつ、簡易な構成で蓋開き抑制構造を構成可能とする炊飯器を得ることを目的とする。
【課題を解決するための手段】
【０００６】
本発明に係る炊飯器は、内釜が収容される本体と、前記内釜の開口部を開閉自在に覆う蓋と、該蓋を開状態にするための開操作手段と、前記本体に取り付けられ、前記開操作手段を覆うことが可能な可動式カバーと、炊飯動作の状態を表示する炊飯工程表示部を備え、前記可動式カバーによって、前記開操作手段が覆われた場合に、前記炊飯工程表示部が露出し、該炊飯工程表示部が覆われた場合に、前記開操作手段が露出するものである。
【発明の効果】
【０００７】
本発明によれば、炊飯動作開始前に、開操作手段を可動式カバーによって覆うことによって、炊飯動作中に、使用者が誤って開操作手段を操作して、蓋が開いてしまうことを防止することができる。
【図面の簡単な説明】
【０００８】
【図１】本発明の実施の形態１に係る炊飯器の外観斜視図である。
【図２】本発明の実施の形態１に係る炊飯器において蓋２が開いた状態を示す図である。
【図３】本発明の実施の形態１に係る炊飯器の正面図である。
【図４】本発明の実施の形態１に係る炊飯器の炊飯動作中における正面図である。
【図５】本発明の実施の形態１に係る炊飯器の別形態におけるブロック図である。
【図６】本発明の実施の形態２に係る炊飯器の正面図である。
【図７】本発明の実施の形態３に係る炊飯器の正面図である。
【発明を実施するための形態】
【０００９】
実施の形態１．
（炊飯器の外観構成）
図１は、本発明の実施の形態１に係る炊飯器の外観斜視図であり、図２は、同炊飯器において蓋２が開いた状態を示す図であり、図３は、同炊飯器の正面図である。以下、図１〜図３を参照しながら、本実施の形態に係る炊飯器の外観構成について説明する。
【００１０】
図１で示されるように、本実施の形態に係る炊飯器の本体１は、炊飯器の上面を覆う蓋２と、炊飯器の中部の外郭を形成し、図２において後述する内釜１３及びその内釜を誘導加熱する加熱コイル（図示せず）を内包する本体側面ケース７と、その本体側面ケース７の下部に設置され、本体１を支持する本体底面ケース８とを有する。
【００１１】
本体１は、略直方体の形状を呈している。
【００１２】
蓋２は、本体１の後部側において、本体側面ケース７に回動自在に連結されている。また、蓋２は、その上面に操作部４及び表示部６、並びに下面に内蓋１５（図２参照）を備えている。
【００１３】
操作部４は、内釜に収納された米等の調理物に対する炊飯工程等を開始させるためのものである。この操作部４は、使用者によって操作されることによって、操作信号を生成し、その操作信号を本体１に内蔵された制御装置（図示せず）に送信する。
表示部６は、前述の炊飯工程の進捗状況の表示、時計表示、及び異常表示等をするものである。
内蓋１５は、蓋２が閉状態の場合に、内釜１３の開口部を覆うものである。
【００１４】
また、図１〜図３で示されるように、本体側面ケース７は、その前面に蓋開きボタン５及びカバー９を備えており、この本体側面ケース７には、凹形状の収容部１４が形成され、この収容部１４に着脱自在に内釜１３が収納可能となっている。
【００１５】
蓋開きボタン５は、使用者により押下されることによって、蓋２を開状態にするためのものである。
なお、蓋２を開状態にする開操作手段として蓋開きボタン５のようにボタン式のものとしているが、これに限定されるものではなく、例えば、フックレバー式等、その他の開操作手段であるものとしてもよい。
【００１６】
カバー９は、上下方向に移動可能なスライド式カバーとなっている。図３で示されるように、カバー９が上側にスライドされることによって、蓋開きボタン５が覆われることになり、蓋開きボタン５の操作ができないようにすることが可能となる。このカバー９は、例えば、板状のカバー部の左右両端部に本体側面ケース７内に向かって係止部（図示せず）が立設された構成とし、カバー９を上側にスライドさせることによって、この係止部が本体側面ケース７内においてロックされ、下側に落ちないような構成とすればよい。そして、カバー９を下側にスライドさせるには、使用者がカバー９を下側に所定の荷重をかけることによって、係止部のロックが解除される構成とすればよい。
【００１７】
なお、カバー９は、本発明の「可動式カバー」に相当する。
【００１８】
（炊飯器の炊飯動作及び炊飯動作中の蓋開き防止構造）
図４は、本発明の実施の形態１に係る炊飯器の炊飯動作中における正面図である。
まず、本実施の形態に係る炊飯器における炊飯動作を開始する前に、使用者は、カバー９を下側にスライドさせ、蓋開きボタン５を露出させた状態で、蓋開きボタン５を押下して蓋２を開状態にする。次に、使用者は、カバー９を上側にスライドさせ、蓋開きボタン５をカバー９で覆い、蓋２の上面の操作部４における炊飯開始ボタンを押下することによって、炊飯動作が開始される。このとき、図３で示されるように、カバー９が上側にスライドされることによって、液晶パネルである炊飯工程表示部１０が露出する。この炊飯工程表示部１０は、本実施の形態に係る炊飯器の炊飯動作の状態を示すものである。図４においては、その例として、炊飯工程表示部１０は、炊飯動作中であることを示すために「炊飯中」と表示している。
この他、例えば、炊飯動作の残り時間等を表示するものとしてもよい。
【００１９】
このように、カバー９が上側にスライドされることによって、蓋開きボタン５が覆われるので、炊飯動作中に、使用者が誤って蓋開きボタン５を押下して、蓋２が開いてしまうことを防止することができる。
【００２０】
そして、炊飯動作が終了すると、炊飯工程表示部１０は、「炊飯中」の表示を消灯する。炊飯動作が終了したことを認識した使用者は、カバー９を下側にスライドさせ、蓋開きボタン５を露出させて、蓋開きボタン５を押下できる状態にする。これによって、使用者は、蓋開きボタン５を押下し、蓋２を開くことができる。
【００２１】
なお、炊飯工程表示部１０は液晶パネルとしたが、これに限定されるものではなく、例えば、炊飯工程表示部１０が「炊飯中」という文字表示部（例えば、刻印で表示する等）で構成されるものとしてもよい。これによって、炊飯工程表示部１０として液晶パネルを採用するよりも、さらにコストを削減することが可能となる。すなわち、炊飯工程表示部１０として、「炊飯中」であることを示すことができる表示部であれば、いずれの構成でもよい。
【００２２】
（実施の形態１の効果）
以上の構成のように、炊飯動作開始前に、カバー９が上側にスライドされることによって、蓋開きボタン５をカバー９によって覆われるので、炊飯動作中に、使用者が誤って蓋開きボタン５を押下して、蓋２が開いてしまうことを防止することができる。これによって、圧力式炊飯器の場合、蓋が開いてしまうことによる危険性を回避することができ、圧力式でない通常の炊飯器においては、蓋が開いてしまうことによるご飯の炊き上がりの品質低下を抑制することができる。
【００２３】
また、カバー９が上側にスライドされることによって炊飯工程表示部１０を露出させることによって、使用者は炊飯動作の状態を把握することができるので、炊飯動作開始前に、カバー９を上側にスライドさせ、蓋開きボタン５がカバー９によって覆われた状態にすることを喚起することが可能となる。
【００２４】
なお、図３及び図４で示されるように、カバー９が下側にスライドされた状態で蓋開きボタン５が露出し、カバー９が上側にスライドされた状態で炊飯工程表示部１０が露出する構成としているが、これに限定されるものではなく逆でもよい。
【００２５】
また、図３及び図４で示されるように、カバー９のスライド方向を上下方向としているが、これに限定されるものではなく、その他の方向（例えば、左右方向）にスライドする構成としてもよい。
【００２６】
また、蓋開きボタン５が露出した状態、すなわち、蓋開きボタン５がカバー９に覆われていない状態（図３で示されるカバー９が下側にスライドされた状態）においては、操作部４における炊飯動作の開始操作ができないように電気的にロック状態とするものとしてもよい。具体的には、図５で示されるブロック図を参照しながら説明する。図５は、操作部４における炊飯動作の開始操作ができないように電気的にロック状態にすることを可能とするためのブロック図を抜粋して示したものである。図５で示されるように、操作部４は、本体１に内蔵された制御装置２１に接続されており、使用者が操作部４を操作することによって発生した操作信号が制御装置２１に送信される。その操作信号の内容が炊飯動作開始又は保温動作開始等である場合、制御装置２１は、インバーター回路２２に駆動信号を送信し、インバーター回路２２は、その駆動信号に基づいて、加熱コイル２３に高周波電流を流す。加熱コイル２３に高周波電流が流れることによって、内釜１３は誘導加熱を受け、炊飯動作又は保温動作が開始される。また、本体１内には、カバー９の位置を検出するカバー位置検出手段２４が内蔵されているものとし、このカバー位置検出手段２４は、制御装置２１に接続されている。このカバー位置検出手段２４は、例えば、カバー９の本体側面ケース７内に入り込んだ前述の係止部（図示せず）を検出する近接センサー等によって構成すればよい。そして、上記のように、操作部４における炊飯動作の開始操作ができないように電気的にロック状態とするためには、以下のような動作とすればよい。すなわち、カバー位置検出手段２４によって、蓋開きボタン５がカバー９によって覆われていないことが検出された場合、制御装置２１は、操作部４から送信される炊飯動作開始の操作信号を無効とするか、又は、インバーター回路２２に対して駆動信号を送信しないものとすればよい。そして、カバー位置検出手段２４によって、蓋開きボタン５がカバー９によって覆われていると検出された場合、制御装置２１は、操作部４における炊飯動作開始の操作信号を受信した場合、炊飯動作を開始させるための駆動信号をインバーター回路２２に送信するものとすればよい。
【００２７】
また、図３及び図４で示されるように、カバー９はスライド式カバーとしているが、これに限定されるものではなく、例えば、開閉式カバーとしてもよい。この場合、開閉式カバーを閉じた状態にすると蓋開きボタン５が覆われた状態になるものとし、開いた状態にすると蓋開きボタン５が露出した状態になるものとすればよい。このように、少なくとも、蓋開きボタン５を覆うか、露出させるかを切り替えることが可能であるカバーであればよい。
【００２８】
さらに、図１〜図４で示されるように、蓋開きボタン５、カバー９及び炊飯工程表示部１０が本体側面ケース７の前面に備えられた構成としているが、これに限定されるものではない。すなわち、蓋開きボタン５、カバー９及び炊飯工程表示部１０が、本体側面ケース７の側面、又は、蓋２の前面、側面若しくは上面に備えられた構成としてもよい。
【００２９】
実施の形態２．
本実施の形態に係る炊飯器について、実施の形態１に係る炊飯器の構成と相違する点を中心に説明する。
（炊飯器の外観構成）
図６は、本発明の実施の形態２に係る炊飯器の正面図である。
図６においては、カバー９が上側にスライドされた状態が示されており、実施の形態１の炊飯工程表示部１０の代わりに、表示ランプ１１が露出するようになっている。この表示ランプ１１は、実施の形態１の炊飯工程表示部１０と同様に、炊飯動作の状態を示すものである。図６においては、表示ランプ１１は３つのランプで構成されているが、例えば、そのうちの１つ目のランプの点灯によって炊飯動作中であることが示され、２つ目のランプの点灯によって炊飯動作が終了したことが示され、そして、３つ目のランプの点灯によって炊飯動作中に異常が発生したことが示されるものとすればよい。
【００３０】
なお、図６で示される表示ランプ１１の構成は一例を示すものであり、ランプの数、及び、各ランプの点灯の意味を限定するものではない。
【００３１】
（実施の形態２の効果）
本実施の形態に係る炊飯器は、実施の形態１の炊飯工程表示部１０を表示ランプ１１に置換したものであるが、その機能の目的は同一のものであるので、実施の形態１と同様の効果を得ることができる。
【００３２】
実施の形態３．
本実施の形態に係る炊飯器について、実施の形態１に係る炊飯器の構成と相違する点を中心に説明する。
【００３３】
（炊飯器の外観構成）
図７は、本発明の実施の形態３に係る炊飯器の正面図である。
図７においては、カバー９が上側にスライドされた状態が示されており、実施の形態１の炊飯工程表示部１０の代わりに、炊飯動作用操作部１２が露出するようになっている。この炊飯動作用操作部１２は、実施の形態１における蓋２の上面に備えられた操作部４から、少なくとも炊飯動作の開始操作用の操作ボタンを含んだ操作手段の一部又は全部を移したものである。これによって、使用者が炊飯動作を開始させる場合、必ず、カバー９を上側にスライドさせて、蓋開きボタン５がカバー９によって覆われた状態にしないと、炊飯動作用操作部１２に対する炊飯動作の開始操作ができないことになる。
【００３４】
（実施の形態３の効果）
以上の構成のように、使用者が炊飯動作の開始操作を実施する場合には、必ず、カバー９を上側にスライドさせて、カバー９が蓋開きボタン５を覆う状態にし、炊飯動作用操作部１２を露出させなければならないので、炊飯動作中に、使用者が誤って蓋開きボタン５を押下して蓋２が開いてしまうことを確実に防止することができる。
【００３５】
また、実施の形態１における操作部４から、操作手段の前部を炊飯動作用操作部１２に移した場合、蓋２の上面はフラットな状態となるので清掃性がよくなると共に、表示部６の大きさを拡大し、見やすくすることが可能となる。
【符号の説明】
【００３６】
１  本体、２  蓋、４  操作部、５  蓋開きボタン、６  表示部、７  本体側面ケース、８  本体底面ケース、９  カバー、１０  炊飯工程表示部、１１  表示ランプ、１２  炊飯動作用操作部、１３  内釜、１４  収容部、１５  内蓋、２１  制御装置、２２  インバーター回路、２３  加熱コイル、２４  カバー位置検出手段。
【図１】
0005787725.tif 000002
【図２】
0005787725.tif 000003
【図３】
0005787725.tif 000004
【図４】
0005787725.tif 000005
【図５】
0005787725.tif 000006
【図６】
0005787725.tif 000007
【図７】
0005787725.tif 000008